(57)【要約】【課題】  過大な深剃りを防ぎつつ、外刃を皮膚に軽く当てて使用する時にも良好な剃り味を得る。【解決手段】  本体（１０）に装着された外刃枠（１８）と、この外刃枠（１８）に保持され上面を剃り面とする環状の薄肉層（２８ａ、２８ｂ）に髭導入孔（３０ａ、３０ｂ）を有する外刃（１４）と、薄肉層の下面に摺接しつつ回転し髭導入孔に入った髭を切断する刃体（３８）を有する内刃（１６）とを備え、髭導入孔（３０ａ、３０ｂ）は薄肉層（２８ａ、２８ｂ）をほぼ半径方向に横断する略一定幅のスリット状でかつ長手方向に略波状に折曲させた。【選択図】      図４
2006218217.tif 000002
【特許請求の範囲】
【請求項１】
本体に装着された外刃枠と、この外刃枠に保持され上面を剃り面とする環状の薄肉層に髭導入孔を有する外刃と、前記薄肉層の下面に摺接しつつ回転し前記髭導入孔に入った髭を切断する刃体を有する内刃とを備えたロータリー式電気かみそりにおいて、
前記髭導入孔は前記薄肉層をほぼ半径方向に横断する略一定幅のスリット状でかつ長手方向に略波状に折曲していることを特徴とするロータリー式電気かみそり。
【請求項２】
髭導入孔は、外刃の半径方向に対して一定半径上で内刃の回転方向に一定角度傾いた直線に沿って形成されている請求項１のロータリー式電気かみそり。
【請求項３】
薄肉層の下面に摺接する内刃の刃先は外刃のほぼ半径方向の直線上にあり、この内刃の刃先と髭導入孔の長手方向とが形成する半径方向外側に開く挟み角が鋭角である請求項２のロータリー式電気かみそり。
【請求項４】
外刃は環状かつ同心の複数の薄肉層を持ち、髭導入孔は両薄肉層を略半径方向に横断する長い髭導入孔と、隣接する長い髭導入孔の間で外側の薄肉層だけを横断する短い髭導入孔とを持つ請求項１のロータリー式電気かみそり。
【発明の詳細な説明】
【技術分野】
【０００１】
この発明は、外刃に形成した環状の薄肉層の上面を剃り面とし、この薄肉層の下面に下方から内刃を摺接させつつ回転させ、薄肉層に形成された髭導入孔に進入した髭を内刃でカットするロータリー式電気かみそりに関するものである。
【背景技術】
【０００２】
この種の電気かみそりにおいて、外刃の薄肉層に形成した髭導入孔をスリット状とし、この髭導入孔（以下スリットともいう）に皮膚が強く押し付けられた時に皮膚がスリットから入り込み、内刃によって過度に深剃りされたり、髭剃り後に皮膚にヒリヒリ感が発生することがある。このような不都合が発生するのを防ぐためには外刃を厚くすればよいのは明らかである。ここに外刃を厚くすることは、スリットを挟むリブの厚さ方向の寸法（内刃の回転軸線に平行な方向の寸法）を大きくすることである。しかしこのようにすると皮膚と内刃との距離が大きくなるため、髭を適度に深剃りすることができなくなるという問題が生じる。
【０００３】
【特許文献１】特開平１１−４９８０
【０００４】
このような不都合を防ぐため、特許文献１では図５に示すように、外刃１に形成した上方へ凸な環状の薄肉層１Ａ、１Ｂの下面を複数の同心円状の内刃走行溝２（２ａ、２ｂ）とし、最外周側の内刃走行溝２ａに設けたスリット状刃３ａ（リブ）を厚くし最内周側の内刃走行溝２ｂに設けたスリット状刃３ｂを薄くすることが提案されている。なお図５で４は内刃、４ａ、４ｂは内刃走行溝２ａ、２ｂに下から摺接しつつ走行する小刃である。また薄肉層１Ａ、１Ｂは実際は極めて薄いものであるが、図５では理解し易くするため厚さを誇張して示している。
【０００５】
この特許文献１に示されたものは、電気かみそりは薄肉層１Ａの上面である剃り面を顔の髭剃り部に押し当てて移動させる時に皮膚が外刃の外周に当たって皺が生じ外刃の外周側で押圧力が大きくなることから、外刃の外周側を厚くして過度な深剃りを防ぐものである。また内周側では押圧力が小さくなることに着目し、外刃の内周側を薄くすることにより、この内周側で適度な深剃りを可能にするものである。
【発明の開示】
【発明が解決しようとする課題】
【０００６】
特許文献１に示されたものでは、外刃を皮膚に強く当てて移動させた時に外刃の外周縁に皮膚が皺になって当たって押圧力が大きくなるという使用状態を想定していた。しかし実際の使用状況下では外刃を軽く皮膚に当てて移動することが多く、この場合には外刃の外周縁に大きな皺はできず剃り味の向上も不十分であった。
【０００７】
また特許文献１のものは外刃の髭導入孔は半径方向に対して僅かに傾いた直線に沿うスリット状であり、その長手方向の対向辺は直線となっている（特許文献１の図３，６，７，９参照）。特許文献１には説明されていないが、内刃の刃先（上縁）と外刃の髭導入孔とは平行でなく、通常所定の挟み角をもって摺動させることにより切れ味を向上させている。
【０００８】
しかしこの場合には髭導入孔に入った髭は、内刃によって髭導入孔内を半径方向に押されて移動し易い。すなわち髭が髭導入孔内で逃げることになり、髭を適切に深剃りすることができなくなったり切れ味が悪くなる、という問題がある。
【０００９】
この発明はこのような事情に鑑みなされたものであり、過大な深剃りを防ぎつつ、外刃を皮膚に軽く当てて使用する時にも良好な剃り味を得ることができるロータリー式電気かみそりを提供することを目的とする。
【課題を解決するための手段】
【００１０】
この発明によればこの目的は、本体に装着された外刃枠と、この外刃枠に保持され上面を剃り面とする環状の薄肉層に髭導入孔を有する外刃と、前記薄肉層の下面に摺接しつつ回転し前記髭導入孔に入った髭を切断する刃体を有する内刃とを備えたロータリー式電気かみそりにおいて、前記髭導入孔は前記薄肉層をほぼ半径方向に横断する略一定幅のスリット状でかつ長手方向に略波状に折曲していることを特徴とするロータリー式電気かみそり、により達成される。
【発明の効果】
【００１１】
髭導入孔は、薄肉層をほぼ半径方向に横断する略一定幅のスリット状であるが、このスリットはその長手方向に略波状に折曲したものであるから、髭導入孔に入った髭は内刃の刃先によって押され髭導入孔の長手方向に移動しても、髭導入孔の略波形の内縁に一時的に捕らえられるから髭の移動は規制される。このため髭を髭導入孔の波形の内縁に捕捉しつつ内刃で正確にカットすることができる。
【００１２】
また髭導入孔は略一定幅で略波形に折曲しているので、皮膚が髭導入孔に進入しにくくなる。このため外刃の刃厚を薄くすることが可能になり、髭が髭導入孔内で移動しにくくなる効果も加わって髭を適切に深剃りすることが可能になる。
【発明を実施するための最良の形態】
【００１３】
髭導入孔は、外刃の半径方向に対して一定半径上で内刃の回転方向に一定角度傾けた直線に沿って形成するのが望ましい（請求項２）。すなわち髭導入孔は外周側が内周側より内刃の回転方向に偏位するので、内刃の刃先でカットされた髭屑は外周側へ飛ばされ易くなる。このため内刃の中心側に髭屑が集まりにくくなり、髭屑の掃除がし易くなる。
【００１４】
この場合内刃の刃先は、ほぼ半径方向の直線上に位置させ、この内刃の刃先と髭導入孔の長手方向とが形成する半径方向外側に開く挟み角を鋭角とすれば、髭の切れ味は一層向上する（請求項３）。
【００１５】
外刃には環状かつ同心の複数の剃り面を設けてもよい。この場合髭導入孔は両剃り面を略半径方向に横断する長いものとすることができる。しかしこの場合には周径が長い外側の剃り面で隣接する髭導入孔の間隔が過大になる。そこで外側の剃り面には長い髭導入孔の間に短い髭導入孔を形成しておくのがよい（請求項４）。
【実施例１】
【００１６】
図１は本発明の一実施例の外観斜視図、図２は外刃と内刃を組合せた刃ユニットの側断面図、図３は１つの外刃の平面図、図４はその一部拡大断面図である。
【００１７】
図１において符号１０は本体、１２はその上部に開閉可能または着脱可能に取り付けられた刃ヘッド部である。この刃ヘッド部１２には、外刃１４，後記する内刃１６などで形成される刃ユニット１７が３組取付けられている。３つの刃ユニット１７に対応する外刃１４はその中心が正三角形の頂点に位置する。
【００１８】
刃ヘッド部１２は本体１０に対して上方へ開閉可能または着脱可能な外刃枠１８（図１）を持つ。外刃１４は外刃枠１８に形成された３つの外刃装着孔に装着されている。この外刃１４を含む刃ユニット１７は上向き、すなわち外刃１４が上方へ突出する方向に付勢されている。
【００１９】
外刃１４は金属板で上方へ凸な略碗状に作られている（図２，３）。外刃１４の上部は円形であり、この円形部分の中央には略円形の開口２０が形成され、ここに上からキャップ２２が固定されている。キャップ２２の下面には係合孔２４が形成されている。この係合孔２４には後記する内刃１６の先端が係入して内刃１６の軸振れを防いでいる。
【００２０】
外刃１４の円形の上部には、上から見て内刃１６の回転中心となる中心軸線Ａを中心とする１つの環状溝２６が形成され（図２）、この環状溝２６を挟んで内・外一対の環状の薄肉層２８ａ、２８ｂ（図３）が形成される。薄肉層２８ａ、２８ｂの上面が剃り面となり、下面が後記内刃走行溝３４ａ、３４ｂとなる。
【００２１】
外刃１４には、その中心軸線Ａ（図２）から前記薄肉層２８ａ、２８ｂを横断してほぼ放射方向に多数のスリット状の長い髭導入孔３０ａと、外側の薄肉層２８ｂだけを横断する短い髭導入孔３０ｂが形成されている。すなわち短い髭導入孔３０ｂは長い髭導入孔３０ａと交互に配置されている。これら髭導入孔３０ａ、３０ｂは、図３で中心軸線Ａを通る半径方向の直線Ｂに対して一定半径の円Ｇ上で内刃１６の回転方向Ｆに一定角度θ傾いた直線Ｃに沿って形成され、これらは一定幅でその長手方向に略波状に折曲している。
【００２２】
内側の薄肉層２８ａ上で隣接する髭導入孔３０ａ、３０ａの間、および外側の薄肉層２８ｂ上で隣接する髭導入孔３０ａ、３０ｂの間に残ったリブ３２ａ、３２ｂの下面が内刃１６と協働して髭をカットする刃となる。
【００２３】
外刃１４の上面すなわちリブ３２ａ、３２ｂの上面は、図２に示すように中心軸線Ａに直交する（中心軸線Ａが垂線となる）平面上に位置する。すなわちリブ３２ａ、３２ｂの上面は平坦である。
【００２４】
外刃１４の薄肉層２８ａ、２８ｂの下面（すなわちリブ３２ａ、３２ｂの下面）は、それぞれ内刃走行溝（環状のトラック）３４ａ、３４ｂとなっている。これら内刃走行溝３４ａ、３４ｂは下から（内側から）見てその内面（底面）が中心軸線Ａに対して直交する１つの平面Ｄに載る面となっている。この平面Ｄはリブ３２ａ、３２ｂの下面に一致する。この下面は砥石によって研磨され、リブ３２ａ、３２ｂの下縁に刃が形成されている。
【００２５】
内刃１６は下方に向かって開く樹脂製のボス部３６と、このボス部３６を囲んで周方向に等間隔に固定された多数の刃体３８とを持つ。多数の刃体３８は環状に連結したものであってもよい。刃体３８は上部が二股状に分岐し、これら分岐した部分である２つの小刃４０ａ、４０ｂがそれぞれ内刃走行溝（トラック）３４ａ、３４ｂに下方から摺接する。これら小刃４０ａ、４０ｂの上縁は前記平面Ｄに沿って水平に研磨された刃すなわち刃先４０Ａ、４０Ｂとなる。
【００２６】
内刃の小刃４０ａ、４０ｂは図３に示すように、中心軸線Ａを通る半径方向の直線Ｅ上に位置する。厳密に言えば、内刃１６は図３で時計方向Ｆに回転し、小刃４０ａ、４０ｂのこの回転方向Ｆ側の上縁が刃先４０Ａ、４０Ｂとなり、直線Ｅ上に位置する。従って内刃１６がＦ方向に回転すれば、小刃４０ａ、４０ｂの刃先４０Ａ、４０Ｂと髭導入孔３０ａ、３０ｂとの挟み角は髭導入孔３０ａ、３０ｂの一定半径の円Ｇ上で傾き角θに等しくなる。内刃１６の回転に伴って刃先４０Ａ、４０Ｂと髭導入孔３０ａ、３０ｂとの交叉位置が半径方向外側へ移動するので、この挟み角（＝θ）は内刃１６の回転と共に変化するが、半径方向外側に向かって開く鋭角であるから、髭の切れ味が良い。
【００２７】
図２において、ボス部３６には下方に向かって開く平面視四角形の係合孔４２が形成され、ここに本体１０から突出する駆動軸４４が係合する。この駆動軸４４の上端には四角球状の係合頭部４６が形成され、これがボス部３６の係合孔４２に下から係入する。駆動軸４４は本体内１０に収容されたモータ（図示せず）により回転駆動され、内刃１６を回転させる。
【００２８】
駆動軸４４は上方へ突出する向きに復帰習性を持ち、内刃１６を上向きに押圧する。このため内刃１６の小刃４０ａ、４０ｂが外刃１４の内刃走行溝３４ａ、３４ｂを下方から弾性的に押圧する。なお外刃１４はその外周に外径方向に突出するフランジ４８が形成され、フランジ４８が外刃枠１８の外刃装着孔（図示せず）の内部に下方から係合している。このため外刃１４および内刃１６を含む刃ユニット１７は外刃枠１８に対して弾性をもって下方へ沈み込み可能である。
【００２９】
この実施例によれば外刃の髭導入孔３０ａ、３０ｂを一定幅で長手方向に略波状に折曲させたものであるから、この髭導入孔３０ａ、３０ｂに入った髭は髭導入孔３０ａ、３０ｂの波状の縁に一時捕捉されて内刃１６によりカットされる。また髭導入孔３０ａ、３０ｂは略波形に折曲しているので、皮膚が入りにくくなる。このため外刃１４の厚さ、すなわちリブ３２ａ、３２ｂの中心軸線Ａと平行な方向の寸法を小さくすることができ、適度な深剃りが可能である。
【００３０】
なお本発明はこの実施例に限定されるものではないのは勿論である。例えば髭導入孔３０ａ、３０ｂの波形はサイン曲線、規則的あるいは不規則な凹凸を持つ形状、鋸歯状などであってもよい。ただし皮膚を保護するためには波形はできるだけ滑らかにするのが望ましい。このような外刃は例えばエッチングにより加工することができる。
【００３１】
外刃は２つの薄肉層２８ａ、２８ｂ、および内刃走行溝３４ａ、３４ｂ、を有するものに限定されない。また外刃の上面の剃り面は平面上に位置させたものに限定されず、中心軸線Ａを含む半径方向の平面で断面した縦断面上で上方または下方に凸な曲面としてもよい。
【図面の簡単な説明】
【００３２】
【図１】本発明の一実施例の外観斜視図
【図２】刃ユニットの側断面図
【図３】１つの外刃の正面図
【図４】そのIV矢視部の拡大断面図
【図５】従来技術を示す側断面図
【符号の説明】
【００３３】
１０  本体
１２  ヘッド部
１４  外刃
１６  内刃
１７  刃ユニット
１８  外刃枠
２６  環状溝
２８ａ、２８ｂ  薄肉層
３０ａ、３０ｂ  髭導入孔
３２ａ、３２ｂ  リブ
３４ａ、３４ｂ  内刃走行溝（トラック）
４０ａ、４０ｂ  小刃
４０Ａ、４０Ｂ  刃先
Ｂ、Ｅ  中心軸線Ａを通る半径方向の直線
Ｃ  髭導入孔の長手方向に沿う直線
Ａ  中心軸線
Ｄ  中心軸線に直交する平面（中心線が垂直になる平面）
Ｆ  内刃の回転方向
【図１】
2006218217.tif 000003
【図２】
2006218217.tif 000004
【図３】
2006218217.tif 000005
【図４】
2006218217.tif 000006
【図５】
2006218217.tif 000007